(57)【要約】【課題】ゴルフボールのボールマーカーを取り替えて使用したいとする要望に応えるとともに、複数個のボールマーカーを携帯する際の煩雑さを改善し、さらに、帽子自体の違和感を解消するゴルフ用帽子を提供する。【解決手段】帽子のひさし部１１の周縁部１２にポケット部１３を形成して、ポケット部に磁石部を有する第１のボールマーカー５１を配設するとともに、第１のボールマーカーの配設によって吸着取付部２０となった当該ひさし部に磁石部を有する第２のボールマーカー５２を第１のボールマーカーと交換自在に吸着配置する。【選択図】図１
0003114696.tif 000002
【実用新案登録請求の範囲】
【請求項１】
帽子のひさし部の周縁部にポケット部を形成して、前記ポケット部に磁石部を有する第１のボールマーカーを配設するとともに、前記第１のボールマーカーの配設によって吸着取付部となった当該ひさし部に磁石部を有する第２のボールマーカーを前記第１のボールマーカーと交換自在に吸着配置したことを特徴とするゴルフ用帽子。
【請求項２】
前記ポケット部がひさし部の前面に設けられているとともに、前記ポケット部の開口部が前記ひさし部の前面の内側に向けて開口している請求項１に記載のゴルフ用帽子。
【請求項３】
前記周縁部が前記ひさし部の前面に２箇所設けられており、前記周縁部同士が前記ひさし部において同一のデザインとして構成されている請求項１又は２に記載のゴルフ用帽子。
【考案の詳細な説明】
【技術分野】
【０００１】
本考案は、ゴルフ用帽子に関し、特に芝上にあるゴルフボールの位置の目印となるボールマーカーを携帯可能とするゴルフ用帽子に関する。
【背景技術】
【０００２】
ゴルフボールのボールマーカーとして、通常、円盤状等の金属板が使用されている。さらには、金属板に磁石部を有するボールマーカーもある。たいてい、ボールマーカーが帽子のひさし部分にあると、ゴルフプレーヤー（ゴルファー）は容易にボールマーカーの着脱を行うことができ、ポケット等から取り出す動作に比べて動作負担が少ない。
【０００３】
そこで、ボールマーカーを帽子のひさし部分に携帯するため、磁石を内部に保持する専用のボールマーカー用のクリップが知られている（実用新案登録第３１０１４５６号，第３１０２０９０号）。当該クリップは帽子のひさし等に取り付けられ、クリップにボールマーカーを磁着させて用いられる。あるいは、磁石を帽子のひさし内に内装させた帽子も知られている（実用新案登録第３１０３３５３号）。ゴルフプレーヤーはこの帽子のひさしの磁石のある位置にボールマーカーを貼り付け用いている。
【０００４】
ボールマーカーとは各プレーヤーのゴルフボールを識別するために、芝上に載置される目印である。しかし、プレーヤー同士のボールマーカーが偶然類似することもある。また、その場の雰囲気次第でボールマーカーを取り替えて使用したいこともある。そうすると、異なるボールマーカーを予め２個程度用意していた方が都合よい。
【０００５】
前出のクリップを取り付けた帽子の場合、クリップ自体の取り外しの利便性はある。しかし、ボールマーカーを２個以上取り付けようとすると、クリップ自体を大きくしなければならない。そのため、ゴルフプレーヤーは、帽子のひさしにこのようなクリップを取り付けてプレーをするとき、クリップの重さに違物感を感じやすい。また、磁石を帽子のひさし内に内装させた帽子の場合、ボールマーカーを数多く取り付けられる。しかし、帽子の表面に何個ものボールマーカーが目立つこととなり、ゴルフプレーヤーは、外観上の違和感を感じやすい。
【０００６】
そのため、ゴルフプレーヤーは、外観等を意識して１個のボールマーカーを帽子に取り付け、さらにもう１個のボールマーカーを別途携帯していることが多い。従って、プレーヤーは複数個のボールマーカーを携帯する際の煩雑さを解消したいと考えている。
【考案の開示】
【考案が解決しようとする課題】
【０００７】
本考案はこのような点を改良するために提案されたものであって、複数個のボールマーカーを携帯する際の煩雑さを改善し、さらに、帽子自体の違和感を解消するゴルフ用帽子を提供するものである。
【課題を解決するための手段】
【０００８】
すなわち、請求項１の考案は、帽子のひさし部の周縁部にポケット部を形成して、前記ポケット部に磁石部を有する第１のボールマーカーを配設するとともに、前記第１のボールマーカーの配設によって吸着取付部となった当該ひさし部に磁石部を有する第２のボールマーカーを前記第１のボールマーカーと交換自在に吸着配置したことを特徴とするゴルフ用帽子に係る。
【０００９】
請求項２の考案は、前記ポケット部がひさし部の前面に設けられているとともに、前記ポケット部の開口部が前記ひさし部の前面の内側に向けて開口している請求項１に記載のゴルフ用帽子に係る。
【００１０】
請求項３の考案は、前記周縁部が前記ひさし部の前面に２箇所設けられており、前記周縁部同士が前記ひさし部において同一のデザインとして構成されている請求項１又は２に記載のゴルフ用帽子に係る。
【考案の効果】
【００１１】
請求項１の考案に係るゴルフ用帽子によると、帽子のひさし部の周縁部にポケット部を形成して、前記ポケット部に磁石部を有する第１のボールマーカーを配設するとともに、前記第１のボールマーカーの配設によって吸着取付部となった当該ひさし部に磁石部を有する第２のボールマーカーを前記第１のボールマーカーと交換自在に吸着配置したため、複数個のボールマーカーを携帯する際の煩雑さを改善し、さらには、帽子自体の違和感を解消することができる。
【００１２】
そこで、本考案に係るゴルフ用帽子は、プレーヤー同士のボールマーカーが偶然類似して変更したい場合や、その場の雰囲気次第でボールマーカーを取り替えたいというゴルフプレーヤーの要望に対し、帽子に備え付けられているボールマーカー同士を交換自在とすることにより柔軟に応えることができる。
【００１３】
請求項２の考案に係るゴルフ用帽子によると、請求項１において、前記ポケット部がひさし部の前面に設けられているとともに、前記ポケット部の開口部が前記ひさし部の前面の内側に向けて開口しているため、ポケット部内部に配設されたボールマーカーが不用意に脱落しなくなる。
【００１４】
請求項３の考案に係るゴルフ用帽子によると、請求項１又は２において、前記周縁部が前記ひさし部の前面に２箇所設けられており、前記周縁部同士が前記ひさし部において同一のデザインとして構成されているため、ひさし部の前面の意匠性が斬新となり、同時にひさし部に生じる外観上の違和感が無くなる。
【考案を実施するための最良の形態】
【００１５】
以下添付の図面に従ってこの考案を詳細に説明する。
図１はこの考案の一実施例を示すゴルフ用帽子の全体斜視図、図２は図１の主要部側面図、図３はボールマーカーの全体斜視図、図４はボールマーカーの断面図、図５は図２のＸ−Ｘ線における第一の断面図、図６は図２のＸ−Ｘ線における第二の断面図である。
【００１６】
図１及び図２を用い、本考案のゴルフ用帽子を説明する。ゴルフ用帽子１０は帽子本体部１７とひさし部１１より構成される。請求項１の考案として規定されるように、当該ゴルフ用帽子のひさし部１１の周縁部１２にはポケット部１３が形成されている。符号１８は帽子本体部の縫い目である。
【００１７】
周縁部１２はひさし部の形状に合わせた略長方形状の布地からなり、ひさし部１１との縫合により一体化される。符号３１はひさし部と周縁部との縫い目である。ひさし部１１と周縁部１２との縫い目３１には、縫い目３１が形成されていない開口部３２が設けられる。開口部３２の長さは、後述するボールマーカーの直径よりも十分に大として形成される。従って、前記のポケット部１３とは、ひさし部１１と周縁部１２により囲まれたボールマーカーの挿入及び取り出し可能な部分である。図中、符号２０は吸着取付部である。
【００１８】
ゴルフ用帽子１０のひさし部１１において、外観視される面部分は前面１１Ｆである。実施例では、このひさし部１１の前面１１Ｆの左右端に周縁部１２（右周縁部１２Ｒ、左周縁部１２Ｌ）は縫合され、右側の周縁部１２（右周縁部１２Ｒ）にポケット部１３が形成されている。すなわち、請求項２の考案として規定するように、ポケット部１３はひさし部１１の前面１１Ｆに設けられている。図２等からも自明なとおり、ポケット部１３の開口部３２は、ひさし部１１の前面１１Ｆの内側に向けて開口している。
【００１９】
よって、ポケット部１３内部に配設されているボールマーカーの不用意な脱落は防止される。実施例のひさし部１１によると、その中央部分が山形となって湾曲されている（図２等参照）。このため、ポケット部１３の開口部３２は、上向きの開口となり、ボールマーカーの脱落防止効果がいっそう向上する。
【００２０】
既に図示され、請求項３の考案として規定するように、周縁部１２は、右周縁部１２Ｒと左周縁部１２Ｌからなる。ひさし部１１の前面１１Ｆにおいて、周縁部同士、つまり右周縁部１２Ｒと左周縁部１２Ｌは互いに同一のデザインとされている。実施例の場合、同一のデザインとは右周縁部１２Ｒと左周縁部１２Ｌとの間で左右対称を意味する。
【００２１】
このように同一のデザインとすると、周縁部を設けたことによりひさし部の前面の意匠性が斬新となり、スポーツウエアとしての魅力が増す。加えて、ポケット部が形成されている周縁部と、ポケット部が形成されていない周縁部との外観がほとんど同一となるため、ボールマーカーが吸着配置される周縁部と、ボールマーカーが吸着配置されない周縁部とのひさし部に生じる外観上の違和感が無くなる。
【００２２】
続いて、図３及び図４を用いボールマーカーの構造を説明する。図３に示すとおり、第１のボールマーカー５１は金属製の円盤形状を成し、そのマーカー本体部５３の表面５７には適宜の模様Ｍが表示されている。この例によると、模様Ｍは筆記体のＧである。図４に示すとおり、マーカー本体部５３に磁石部６０が配される。図示の例では、マーカー本体部５３の裏面５８に磁石部６０が貼着されている。ここで、マーカー本体部の形状は図示の円盤形状に限られることはなく自由である。また、磁石部には好適な磁着性能を有する適宜の磁石が用いられる。なお、第２のボールマーカー５２は第１のボールマーカー５１と同一の構造であるため、その説明を省略する。
【００２３】
図５の部分断面図を用い、本考案のゴルフ用帽子の使用状況を説明する。図５（ａ）に示すとおり、ひさし部１１と周縁部１２により囲まれたポケット部１３の内部に第１のボールマーカー５１が挿入される。
【００２４】
そうすると、図５（ｂ）に示すとおり、第１のボールマーカー５１の配設によって、当該ひさし部１１（周縁部１２）には他のボールマーカーが取り付け可能となる吸着取付部２０が形成される。第２のボールマーカー５２をこの吸着取付部２０に近づけると、第２のボールマーカー内の磁石部６２と、第１のボールマーカー内の磁石部６０は互いに引き寄せ合う。
【００２５】
こうして、図５（ｃ）に示すように、第２のボールマーカー５２は、ひさし部１１（周縁部１２）上の吸着取付部２０に吸着配置される。つまり、互いのボールマーカーは、その内部の磁石部により引き寄せあっている（磁着されている）。ゴルフプレーヤーは、ボールマーカーを使用する際、この第２のボールマーカー５２を取り外し、また、使用を終えた際には、再度ひさし部１１の吸着取付部２０に第２のボールマーカー５２を近づけるだけでよい。
【００２６】
特に、本考案のゴルフ用帽子にあっては、第１のボールマーカーと第２のボールマーカーとを交換して用いることができる。すなわち、図６（ａ）に示すように、第１のボールマーカー５１と交換するため、第２のボールマーカー５２はひさし部１１（周縁部１２）から取り外される。併せて、第１のボールマーカー５１もポケット部１３から取り出される。
【００２７】
次に、図６（ｂ）に示すように、第２のボールマーカー５２がポケット部１３に新たに配設にされ、当該ひさし部１１（周縁部１２）に吸着取付部２０が形成される。第１のボールマーカー５１をこの吸着取付部２０に近づけると、第２のボールマーカー内の磁石部６２と第１のボールマーカー内の磁石部６０は互いに引き寄せ合う。
【００２８】
この結果、図６（ｃ）に示すように、第１のボールマーカー５１は、ひさし部１１（周縁部１２）上の吸着取付部２０に吸着配置される。つまり、第１、第２のボールマーカー同士は交換自在となる。
【００２９】
図示からも当然に理解されるように、ポケット部がひさし部の前面にあることにより、ひさし部の前面に現出しているボールマーカーは１個のみとなる。そのため、何個ものボールマーカーが帽子の表面に目立つことは無くなり、プレーヤーは外観上の違和感を感じにくくなる。加えて、プレーヤーはボールマーカー用クリップ等の異物感を帽子のひさし部に抱かなくすることもできる。
【００３０】
従って、本考案のゴルフ用帽子は、プレーヤー同士のボールマーカーが偶然類似して変更したい場合や、その場の雰囲気次第でボールマーカーを取り替えたいという要望から、複数個のボールマーカーを携帯する際の煩雑さを改善し、さらには、帽子自体の違和感を解消することができる。
【００３１】
なお、本考案の趣旨を逸脱しない範囲において、適宜の変更も許容されうる。例えば、実施例のゴルフ用帽子によると、ひさし部の周縁部のうち、一方の周縁部にポケット部を形成している。これに対して両方の周縁部にポケット部を形成することもできる。そうすると、ゴルフプレーヤー毎の利き腕の違いに対応することができる。他に、その場の気分により、ボールマーカーの取り付け位置をひさし部の左右で変更することができ都合よい。特に、周縁部同士が同一のデザインであるため、外観上の差異はほとんど目立たなくなる。ちなみに、ボールマーカーの厚さいかんにより、ポケット部の内部に２個以上のボールマーカーを重ねて配設することもできる。
【００３２】
また、本考案のゴルフ用帽子は実施例の帽子に限定されることはなく、ひさし部を有する各種形状、形態の帽子に適用可能である。図示の帽子であるキャップ以外に、ハンチングキャップ、パナマ帽、ウエスタン等の帽子にも適用可能である。
【図面の簡単な説明】
【００３３】
【図１】この考案の一実施例を示すゴルフ用帽子の全体斜視図である。
【図２】図１の主要部側面図である。
【図３】ボールマーカーの全体斜視図である。
【図４】ボールマーカーの断面図である。
【図５】図２のＸ−Ｘ線における第一の断面図である。
【図６】図２のＸ−Ｘ線における第二の断面図である。
【符号の説明】
【００３４】
１０  ゴルフ用帽子
１１  ひさし部
１１Ｆ  ひさし部の前面
１２  周縁部
１２Ｒ  右周縁部
１２Ｌ  左周縁部
１３  ポケット部
２０  吸着取付部
３１  ひさし部と周縁部の縫い目
３２  開口部
５１  第１のボールマーカー
５２  第２のボールマーカー
６０  第１のボールマーカーの磁石部
６２  第２のボールマーカーの磁石部
【図１】
0003114696.tif 000003
【図２】
0003114696.tif 000004
【図３】
0003114696.tif 000005
【図４】
0003114696.tif 000006
【図５】
0003114696.tif 000007
【図６】
0003114696.tif 000008